(57)【要約】【課題】フラップを回動する際に生じる異音やガタツキを低減することができる空気調和装置の室内機を提供する。【解決手段】風向を変更するフラップと、下方に位置するフラップを本体部に対して支持する筐体側ブラケットと、フラップに固定されるとともに、筐体側ブラケットに形成されたシャフト挿通孔に挿入されてフラップをシャフト挿通孔内で回動させる連結シャフト２１とを備えている。連結シャフト２１は、シャフト挿通孔に挿入されて外周がシャフト挿通穴の内周に接触する下爪部２９ｂおよび上爪部２９ａを有し、下爪部２９ｂは、上爪部２９ａよりも剛性が大きい。【選択図】図６
2018189309.tif 000002
【特許請求の範囲】
【請求項１】
風向を変更するフラップと、
下方に位置する前記フラップを本体部に対して支持する支持部と、
前記フラップに固定されるとともに、前記支持部に形成された貫通穴に挿入されて該フラップを該貫通穴内で回動させる連結部材と、
を備え、
前記連結部材は、前記貫通穴に挿入されて外周が該貫通穴の内周に接触する下爪部および上爪部を有し、
前記下爪部は、前記上爪部よりも剛性が大きいことを特徴とする空気調和装置の室内機。
【請求項２】
前記連結部材の回動中心から前記上爪部の外周面までの距離は、該回動中心から前記下爪部の外周面までの距離よりも大きいことを特徴とする請求項１に記載の空気調和装置の室内機。
【請求項３】
前記下爪部の外周面は、略１８０°に亘って形成された略円筒面とされていることを特徴とする請求項１又は２に記載の空気調和装置の室内機。
【発明の詳細な説明】
【技術分野】
【０００１】
本発明は、風向を変化させるフラップを備えた空気調和装置の室内機に関するものである。
【背景技術】
【０００２】
空気調和装置の室内機には、空調後の風向を上下方向に変更するためのフラップが設けられている。フラップを回動させるために、室内機の本体部に対して回動可能にフラップを支持する機構が設けられている。
特許文献１には、フラップに固定した連結部材を本体取付孔に挿入することによってフラップを回動可能に支持している。
【先行技術文献】
【特許文献】
【０００３】
【特許文献１】特開２０１７−５３５０８号公報
【発明の概要】
【発明が解決しようとする課題】
【０００４】
上記特許文献１に記載された連結部材は、４つの弾性変形片が弾性変形することによって、本体取付孔の内周面に対して接触状態を保ってフラップを支持している。
本発明者等がさらに検討を重ねたところ、連結部材にはフラップの自重による荷重が加わることで、４つの弾性変形片の変形状態が回動角度に応じて異なることが判明した。すなわち、フラップの荷重は連結部材の下方に負荷されるため、下方に位置する弾性変形片が最も変形することになる。そして、フラップの回動にしたがってフラップの荷重が加わる弾性変形片が変わると、弾性変形片の変形状態が変わり、異音やガタツキの原因になるおそれがある。
【０００５】
本発明は、このような事情に鑑みてなされたものであって、フラップを回動する際に生じる異音やガタツキを低減することができる空気調和装置の室内機を提供することを目的とする。
【課題を解決するための手段】
【０００６】
上記課題を解決するために、本発明の空気調和装置の室内機は以下の手段を採用する。
すなわち、本発明にかかる空気調和装置の室内機は、風向を変更するフラップと、下方に位置する前記フラップを本体部に対して支持する支持部と、前記フラップに固定されるとともに、前記支持部に形成された貫通穴に挿入されて該フラップを該貫通穴内で回動させる連結部材とを備え、前記連結部材は、前記貫通穴に挿入されて外周が該貫通穴の内周に接触する下爪部および上爪部を有し、前記下爪部は、前記上爪部よりも剛性が大きいことを特徴とする。
【０００７】
支持部は、連結部材を介して、下方のフラップが回動するように支持する。フラップが回動することによって、室内機から吹き出す空調後の風向が変更される。
連結部材は、フラップに固定されており、かつ支持部に形成された貫通穴に挿入されている。これにより、フラップが支持部に対して回動可能に取り付けられる。
連結部材は、下爪部と上爪部とを有しており、それぞれの爪部が貫通穴の内周に接触するように取り付けられている。そして、下爪部は、下方に位置するフラップの自重による荷重を受ける一方で、上爪部はフラップの自重による荷重を受けない。そこで、下爪部の剛性を上爪部よりも大きくして、フラップの荷重を受ける下爪部の変形量を可及的に小さくすることとした。これにより、フラップが貫通穴の中心回りに連結部材とともに回動しても、下爪部でフラップの荷重を受けるので、連結部材の変形による異音やガタツキを低減することができる。
【０００８】
さらに、本発明の空気調和装置の室内機では、前記連結部の回動中心から前記上爪部の外周面までの距離は、該回動中心から前記下爪部の外周面までの距離よりも大きいことを特徴とする。
【０００９】
連結部材の回動中心から上爪部の外周面までの距離を、連結部の回動中心から下爪部の外周面までの距離よりも大きくした。これにより、下爪部よりも上爪部を積極的に変形（ベンド）するようにして、支持部の貫通穴の内周面に好適に接触させることができる。
【００１０】
さらに、本発明の空気調和装置の室内機では、前記下爪部の外周面は、略１８０°に亘って形成された略円筒面とされていることを特徴とする。
【００１１】
下爪部の外周面を略１８０°に亘って形成された略円筒面とすることで、フラップの回動範囲の中立位置を下爪部の中央に設定すれば、略１８０°の回動範囲に亘って下爪部にてフラップの荷重を受けることができる。
【発明の効果】
【００１２】
上爪部よりも高い剛性とされた下爪部でフラップの荷重を受けることとしたので、連結部材の変形による異音やガタツキを低減することができる。
【図面の簡単な説明】
【００１３】
【図１】本発明の一実施形態に係る空気調和装置の室内機を示した斜視図である。
【図２】図１のＩＩ−ＩＩにおける断面図である。
【図３】図１の室内機の前面の吸込みパネルを外した状態を示す正面図である。
【図４】取付部を示した斜視図である。
【図５】取付部を示した分解斜視図である。
【図６】連結シャフトを示した側面図である。
【図７】連結シャフトを示した正面図である。
【図８】シャフト連結孔に挿入された連結シャフトを示した縦断面図である。
【図９】シャフト連結孔に挿入された連結シャフトを示した部分拡大斜視図である。
【発明を実施するための形態】
【００１４】
以下、本発明の実施形態の空気調和装置の室内機１について図面を参照して詳細に説明する。
図１、図２及び図３に示すように、空気調和装置の室内機１は、据付時に水平方向となる方向に横長の直方体形状をなす筐体２と、筐体２の内部に収容される空調機器（本体部）３とを備えている。室内機１は、空気Ａを吸い込んで温度、湿度の調整を行った後に吹き出し口４より空気Ａを吐出し、室内の空調を行う装置である。本実施形態の室内機１は、空気Ａの吹き出し方向を上下に変更するフラップ８が設けられている。
【００１５】
本実施形態では、据付時に水平方向となる方向を左右方向とし、据付時に上下方向となる方向を単に上下方向とし、これら左右方向及び上下方向に直交する方向を前後方向とする。なお、据付時に手前側となるのが前後方向の前側である。
【００１６】
図２に示すように、空調機器３は、熱交換器５と、熱交換器５によって覆われるように設けられた送風ファン６と、空気Ａの吸い込み口に設けられるフィルタ７と、空気Ａの吹き出し口４に設けられるフラップ８と、左右方向の一端側に設けられて空調の制御を行うコントロールボックス９（図３参照）とを備える。
【００１７】
筐体２は、据付時に手前側となる前面側に配される前面パネル１０と、前面パネル１０に一体に接続されて据付時に上方に配置される上面パネル１１と、前面パネル１０及び上面パネル１１とともに内部に空調機器３を収容する空間Ｓを形成する筐体本体１２とを備えている。
筐体２は、前面パネル１０を前方から覆う吸込みパネル１３を有している。
【００１８】
筐体本体１２は、左右方向に一対に配置された側面パネル１４と、これら一対の側面パネル１４に一体に接続されて据付け面に対向する背面パネル１５と、一対の側面パネル１４と背面パネル１５とを支持するとともに下方に配置された底面パネル１６とを有している。
【００１９】
筐体本体１２は、一対の側面パネル１４、背面パネル１５及び底面パネル１６によって囲まれる空調機器３を収容する空間Ｓを形成する。筐体本体１２は、この空間Ｓは前方及び上方で開口している。即ち、筐体本体１２には、筐体２を前後方向に貫通する前面開口部ＯＰ１、及び上下方向に貫通する上面開口部ＯＰ２が形成されている。
空気Ａは、上面開口部ＯＰ２から筐体２の空間Ｓに取り込まれるようになっている。
【００２０】
前面パネル１０は格子状をなし、前面開口部ＯＰ１の前面側に、筐体本体１２に一体に設けられている。上面パネル１１は格子状をなし、上面開口部ＯＰ２の上面側に、筐体本体１２と一体に設けられている。
【００２１】
吸込みパネル１３は、前面開口部ＯＰ１及び前面パネル１０を覆うように前面パネル１０のさらに前方側に配置されている。吸込みパネル１３は、筐体本体１２に対して着脱可能となっていることで前面開口部ＯＰ１を開閉可能としている。
【００２２】
吹き出し口４に設けられているフラップ８は、吹き出し口４からの空気Ａの上下方向の向きを変更する風向調整板である。室内機１は、二つのフラップ８を備える。二つのフラップ８は、吹き出し口４を塞ぐような配置とすることができる。二つのフラップ８は、送風ファン６によって吐出される空気Ａの流れに沿うように軸線Ｏ回りに回動させることができる。
【００２３】
次に、フラップ８の取り付け構造について説明する。ここでは、二つのフラップ８のうち、後方に配置されたフラップ８の取り付け構造について説明する。二つのフラップ８のうち、前方に配置されたフラップ８の取り付け構造は、後方に配置されたフラップ８の取り付け構造と略同一であるため説明を省略する。
【００２４】
図３に示すように、フラップ８は、左右方向に間隔を空けた複数箇所で、取付部１７を介して、左右方向に延在する軸線Ｏ回りに回転可能に筐体２に連結されている。また、フラップ８は、軸線Ｏ方向（左右方向）の一方の端部側に設けられた図示しない駆動モータによって、軸線Ｏ回りに回転駆動される。このため、フラップ８の一方の端部には、軸線Ｏ方向に延びるピン３５が設けられ、このピン３５が図示しない駆動モータに連結される。
【００２５】
図４及び図５に示すように、取付部１７は、フラップ８のフラップ本体１８と一体に設けられているフラップ側ブラケット１９と、筐体２に設けられている筐体側ブラケット（支持部）２０と、フラップ側ブラケット１９と筐体側ブラケット２０とを連結する連結シャフト（連結部材）２１とを備える。なお、符号２２は、前方に配置されたフラップに用いられる筐体側ブラケットを示す。
【００２６】
フラップ８は、左右方向に長い板形状のフラップ本体１８と、取付部１７に対応した位置でフラップ本体１８に設けられたフラップ側ブラケット１９とを備える。
【００２７】
フラップ側ブラケット１９は、フラップ本体１８の表面１８ｆから直交する方向に延びるように、フラップ本体１８の一方の表面１８ｆに一体に形成されている。フラップ側ブラケット１９は、板状をなし、軸線Ｏに直交する主面が形成されている。
【００２８】
フラップ側ブラケット１９は、軸線Ｏ方向から見た形状が三角形状をなしている。フラップ側ブラケット１９には、軸線Ｏ方向に貫通する長方形状のシャフト係合孔２３（図５参照）が形成されている。
【００２９】
筐体側ブラケット２０は、板状をなし、吹き出し口４から吹き出される空気Ａの流れを阻害しないように、軸線Ｏ方向に直交する主面が形成されている。筐体側ブラケット２０には、軸線Ｏ方向に貫通するシャフト挿通孔（貫通穴）２４が形成されている。シャフト挿通孔２４は、例えば、円形状をなしている。
【００３０】
連結シャフト２１は、シャフト本体２５の一端２５ａ側が筐体側ブラケット２０に形成されたシャフト挿通孔２４に挿通された状態で、係合爪部２６がフラップ側ブラケット１９のシャフト係合孔２３に係合されている。
【００３１】
シャフト本体２５は、中心軸、すなわち軸線Ｏを中心とする円筒状をなしている。シャフト本体２５は、図６に示すように、シャフト挿通孔２４の内径よりも小さな外径を有した挿入本体部２７と、シャフト挿通孔２４の内径よりも大きな外径を有した拡径部３０とを有する。
【００３２】
挿入本体部２７は、シャフト本体２５の一端２５ａ側で、シャフト本体２５の中心軸（軸線Ｏ）に直交する主面が形成された円板状をなしている。つまり、挿入本体部２７は、拡径部３０の一端２５ａを閉塞している。
【００３３】
拡径部３０は、挿入本体部２７を基部として、一端２５ａ側から他端２５ｂ側に向かうにしたがって拡径する円筒状をなしている。拡径部３０には、シャフト本体２５の他端２５ｂで径方向外側に突出したフランジ部４４が形成されている。フランジ部４４は、シャフト本体２５の中で最も大きな外径をなしている。フランジ部４４の外径は、シャフト挿通孔２４よりも大きくされており、連結シャフト２１の抜け止めとされている。
【００３４】
拡径部３０には、周方向の２箇所にスリット２８が形成されている。スリット２８は、シャフト本体２５の他端２５ｂから一端２５ａ側に向かって、シャフト本体２５の中心軸（軸線Ｏ）方向に挿入本体部２７まで延びている。このスリット２８により、拡径部３０は、上方の上爪部２９ａと下方の下爪部２９ｂが形成されている。
【００３５】
上爪部２９ａ及び下爪部２９ｂは、挿入本体部２７から他端２５ｂ側に向かって延びている。つまり、上爪部２９ａ及び下爪部２９ｂは、挿入本体部２７を固定端とし、他端２５ｂ側の先端部を自由端とした片持ち梁状をなしている。
【００３６】
図７に示すように、下爪部２９ｂは、正面視した場合に、略１８０°に亘って形成された半円弧の外形線を有している。下爪部２９ｂの外周面（フランジ部４４を除く）は、拡径するようにテーパ状になっており、軸線方向のいずれかの位置における曲率半径は、シャフト挿通孔２４の曲率半径に略一致している。したがって、図８のように連結シャフト２１をシャフト挿通孔２４に差し込んだときに、シャフト挿通孔２４の内周面に下爪部２９ｂの外周面の全体が接触して合致するようになる。
【００３７】
下爪部２９ｂは、図９のようにフラップ側ブラケット１９に対して固定し、フラップ８を回動方向における中立位置に位置させた場合に、下爪部２９ｂの周方向における中央位置が軸線Ｏを通る鉛直線ＶＬ（図７参照）上に位置するように設定されている。これにより、下爪部２９ｂの中央位置から±９０°の角度範囲に亘って下爪部２９ｂがシャフト挿通孔２４の内周に接するようになる。
【００３８】
上爪部２９ａは、正面視した場合に、略１８０°よりも小さい角度範囲に亘って形成された円弧とされた外形線を有している。上爪部２９ａの外周面（フランジ部４４を除く）は、拡径するようにテーパ状になっている。上爪部２９ａと下爪部２９ｂとを図７のように正面視した場合、上爪部２９ａの半径Ｒ１は、下爪部２９ｂの半径Ｒ２よりも大きくなっている（Ｒ１＞Ｒ２）。また、下爪部２９ｂは、上爪部２９ａよりも大きな剛性を有している。具体的には、下爪部２９ｂの外形の円弧長が上爪部２９ａの外形の円弧長よりも長いので下爪部２９ｂの剛性が大きくなっている。また、下爪部２９ｂの厚さ（半径方向における肉厚）を上爪部２９ａの厚さよりも大きくしても良い。
したがって、連結シャフト２１をシャフト挿通孔２４に挿入すると、上爪部２９ａが軸線Ｏ側に変形し（ベンドし）、下爪部２９ｂがほとんどベンドしないようになっている。このように下爪部２９ｂはほとんど変形しないので、下爪部２９ｂの外周面の全体がシャフト挿通孔２４の内周面に接触するようになっている。そして、フラップ８がシャフト挿通孔２４回りに回動し、フラップ８の自重による荷重位置が変化しても、剛性によって下爪部２９ｂはほとんど変形しないので、下爪部２９ｂの外周面の全体がシャフト挿通孔２４の内周面に合致した状態を維持するようになっている。
【００３９】
上述の室内機１によれば、以下の作用効果を奏する。
連結シャフト２１の下爪部２９ｂと上爪部２９ａをシャフト挿通孔２４に挿入し、シャフト挿通孔２４の内周に接触するように取り付けるようにした。下爪部２９ｂは、下方に位置するフラップ８の自重による荷重を受ける一方で、上爪部２９ａはフラップ８の自重による荷重を受けない。そこで、下爪部２９ｂの剛性を上爪部２９ａよりも大きくして、フラップ８の荷重を受ける下爪部２９ｂの変形量を可及的に小さくすることとした。これにより、フラップ８がシャフト挿通孔２４の軸線Ｏ回りに連結シャフト２１とともに回動しても、下爪部２９ｂでフラップ８の荷重を受けるので、連結シャフト２１の爪部２９ａ，２９ｂの変形による異音やガタツキを低減することができる。
【００４０】
連結シャフト２１の回動中心である軸線Ｏから上爪部２９ａの外周面までの半径Ｒ１を、連結シャフト２１の回動中心である軸線Ｏから下爪部２９ｂの外周面までの半径Ｒ２よりも大きくした。これにより、下爪部２９ｂよりも上爪部２９ａを積極的に変形（ベンド）するようにして、筐体側ブラケット２０のシャフト挿通孔２４の内周面に好適に接触させることができる。
【００４１】
下爪部２９ｂの外周面を略１８０°に亘って形成された略円筒面とすることで、フラップ８の回動範囲の中立位置を下爪部２９ｂの中央に設定することとした。これにより、略１８０°の回動範囲に亘って下爪部２９ｂにて異音やガタツキを低減しつつフラップ８の荷重を受けることができる。
【符号の説明】
【００４２】
１  室内機
２  筐体
３  空調機器（本体部）
４  吹き出し口
５  熱交換器
６  送風ファン
７  フィルタ
８  フラップ
９  コントロールボックス
１０  前面パネル
１１  上面パネル
１２  筐体本体
１３  吸込みパネル
１４  側面パネル
１５  背面パネル
１６  底面パネル
１７  取付部
１８  フラップ本体
１８ｆ  表面
１９  フラップ側ブラケット
２０  筐体側ブラケット（支持部）
２１  連結シャフト（連結部材）
２３  シャフト係合孔
２４  シャフト挿通孔（貫通穴）
２５  シャフト本体
２５ａ  一端
２５ｂ  他端
２６  係合爪部
２７  挿入本体部
２８  スリット
２９ａ  上爪部
２９ｂ  下爪部
３０  拡径部
３５  ピン
４４  フランジ部
Ａ  空気
Ｏ  軸線
ＯＰ１  前面開口部
ＯＰ２  上面開口部
Ｒ１，Ｒ２  半径
Ｓ  空間
ＶＬ  鉛直線
【図１】
2018189309.tif 000003
【図２】
2018189309.tif 000004
【図３】
2018189309.tif 000005
【図４】
2018189309.tif 000006
【図５】
2018189309.tif 000007
【図６】
2018189309.tif 000008
【図７】
2018189309.tif 000009
【図８】
2018189309.tif 000010
【図９】
2018189309.tif 000011